(57)【要約】【課題】かつらベース及びかつらにおいて、装着者が必要に応じて、被挿入体を容易に交換することを可能にする。【解決手段】第１のネット１１と、上記第１のネット１１の下面側に位置する第２のネット１２と、上記第１のネット１１と第２のネット１２との間に位置し被挿入体１３を挿脱自在に収納する収納部１４とを備えて構成される。【選択図】図１
2010065335.tif 000002
【特許請求の範囲】
【請求項１】
人毛又は人工毛からなる毛髪が植設される第１のネットと、
前記第１のネットの下面側に位置する第２のネットと、
前記第１のネットと前記第２のネットとの間に位置し被挿入体を挿脱自在に収納する収納部と、
を備えることを特徴とするかつらベース。
【請求項２】
前記収納部は、前記第１のネットと前記第２のネットとで区画された領域である、
ことを特徴とする請求項１記載のかつらベース。
【請求項３】
前記第２のネットは、前記第１のネットの外縁部に結合される結合部を有し、
前記第２のネットの前記結合部を除く外縁部は、前記第１のネットとの間に前記収納部の開口部を形成する、
ことを特徴とする請求項１記載のかつらベース。
【請求項４】
前記収納部は装着者の後頭部の位置に配置される、
ことを特徴とする請求項１記載のかつらベース。
【請求項５】
前記第１のネットは、少なくとも二枚のネット部材を有する、
ことを特徴とする請求項１記載のかつらベース。
【請求項６】
請求項１から請求項５のいずれか一つに記載のかつらベースと、
少なくとも前記第１のネットに植設された人毛又は人工毛からなる毛髪と、
を備えることを特徴とするかつら。
【発明の詳細な説明】
【技術分野】
【０００１】
本発明は、髪型にボリューム感を出させるためのボリュームアップ用繊維体、頭皮の汗や皮脂などから発する臭いを消臭する消臭用繊維体、頭皮から発する汗を吸収する汗吸収用繊維体などの被挿入体を備えたかつらベース及びかつらの技術に関する。
【背景技術】
【０００２】
従来、かつらは、装飾のため、又は薄くなった頭髪を外見上実際の頭髪であるように見せるために用いるものであり、かつらベースに植設された人毛又は人工毛からなる毛髪と自毛とが自然に一体化されるように形成されるものが一般的に用いられている。
【０００３】
人の頭部には、生理作用、新陳代謝などにより発汗することで、水分と頭皮の皮脂とを分泌する分泌作用、また、汗、塩分、水分を排泄する排泄作用などの働きがある。これらの作用は、自毛の育毛、発毛を阻害し、脱毛を促進させている。
【０００４】
詳述すると、分泌した皮脂に細菌が繁殖し遊離脂肪酸や過酸化脂質がつくられ、これにより毛根を弱らせ脱毛を促進させている。また、遊離脂肪酸や過酸化脂質がつくられることにより、頭皮を刺激してフケが発生する原因、又は、かゆみの原因となり、更には頭皮の炎症の原因となっている。
【０００５】
これらの原因に対する対処法として、養毛、育毛剤などを用いることが考えられるが、かつらを装着している場合は、その都度、かつらを取り外さなければならないため、かつら装着者にとっては非常に煩雑である。
【０００６】
また、かつらを装着している場合は、頭皮が蒸れ易いため、汗などの分泌物の分泌量が更に多くなってしまう。すなわち、通常、少量の汗はすぐに蒸発するが、かつらを装着しているため、蒸発し難く、細菌が繁殖し易い。特に、夏場などの暑い日には、かつらを装着すると頭皮が更に蒸れ易い。
【０００７】
更には、臭いがかつら自体に付着してしまうため、かつらを取り外し、かつらの洗浄を行う必要が生じるが、洗浄時にかつら自体を傷つけてしまうこともある。
【０００８】
そこで、吸収繊維と育毛材と油分吸収材とから構成された繊維体に遮光材及び発汗防止材を取り付け可能に設けたヘアーパットの提案がなされている。そして、このヘアーパットの表面に設けられたパット接着具によりヘアーパットを配置したかつらの提案がなされている。（例えば、特許文献１参照。）
【特許文献１】特開平８−２９１４１５号公報
【発明の開示】
【発明が解決しようとする課題】
【０００９】
ところで、上記特許文献１の技術は、汗、皮脂などの分泌物を素早く吸収繊維に吸収させることが可能であるが、ヘアーパットがパット装着具によりかつらに固定されるため、パット装着具の接着力が弱いと、かつらが頭部から外れてしまうという技術的課題がある。また、パット接着力を高めると、かつら装着者がヘアーパットを簡単に取り外すことができないという技術的課題や、かつらベースを傷めるという技術的課題がある。
【００１０】
本発明の目的は、装着者が必要に応じて、繊維体、パットなどの被挿入体を容易に交換することが可能なかつらベース及びかつらに関する技術を提案することにある。
【課題を解決するための手段】
【００１１】
本発明のかつらベースは、人毛又は人工毛からなる毛髪が植設される第１のネットと、上記第１のネットの下面側に位置する第２のネットと、上記第１のネットと上記第２のネットとの間に位置し被挿入体を挿脱自在に収納する収納部とを備えて構成される。
【００１２】
更に、このかつらベースでは、例えば、上記収納部は、上記第１のネットと上記第２のネットとで区画された領域である。
【００１３】
更に、このかつらベースでは、例えば、上記第２のネットは、上記第１のネットの外縁部に結合される結合部を有し、上記第２のネットの上記結合部を除く外縁部は、上記第１のネットとの間に上記収納部の開口部を形成する。
【００１４】
更に、このかつらベースでは、例えば、上記収納部は装着者の後頭部の位置に配置される。
【００１５】
更に、このかつらベースでは、例えば、上記第１のネットは、少なくとも二枚のネット部材を有する。
【００１６】
また、本発明のかつらは、上記のかつらベースと、少なくとも上記第１のネットに植設された人毛又は人工毛からなる毛髪とを備えて構成される。
【発明の効果】
【００１７】
本発明によれば、第１のネットと第２のネットとの間に位置する収納部が被挿入体を挿脱自在に収納するため、装着者が必要に応じて、被挿入体を容易に交換することができる。
【発明を実施するための最良の形態】
【００１８】
以下、本発明の実施の形態を図面に基づいて詳細に説明する。
（実施形態１）
図１は本実施の形態のかつらベースの裏面を簡略に示した斜視図であり、図２は図１における線Ａ−Ａ´を簡略に示した断面図である。かつらベース１０は、人毛又は人工毛からなる毛髪が植設される第１のネット１１と、この第１のネット１１の下面側に位置する第２のネット１２と、これら第１のネット１１と第２のネット１２との間に被挿入体１３が挿脱自在に収納される収納部１４とを備えて構成されている。
【００１９】
第１のネット１１は対候性に優れた合成樹脂製の糸をネット状に編み込むことにより構成されている。ネットの網目は毛髪を自然な形態で植設でき、且つ、通気性を考慮した寸法であれば、特に限定されない。
【００２０】
また、第１のネット１１は、自毛、人毛又は人工毛の色と近似した色に成るような黒色、茶色又は白色などにより構成されている。尚、第１のネット１１の色は、必ずしも、自毛、人毛又は人工毛の色と近似した色になるように構成されるわけではなく、例えば、人工毛の結び目を目立たせない色であれば、人工毛の色と異なる色で構成しても良い。
【００２１】
また、第１のネット１１は、図示しないが、髪型の分け目の部分を地肌の色に近似している肌色により構成しても良い。詳述すると、通常、ネット素材は肌色であり、この肌色のネット素材に、黒く着色を行っている。すなわち、本実施の形態において、第１のネット１１は、肌色のネット素材に黒く着色する黒色部と、着色しない肌色部とを備えて構成しても良い。尚、肌色部の大きさ、形状及びネットにおける箇所は、特に限定されず、使用者の用途に合わせて形成することが可能である。
【００２２】
また、第１のネット１１は、装着者の頭部に合わせて椀状に形成されている。この形成方法は平面状のネットを装着者の頭部に合わせた木型などに貼り付ける。そして、樹脂などをネットに染み込ませることにより、ネットが装着者の頭部と同様の形状に固定される。第１のネット１１の縁部外周には、第１のネット１１がほぐれないように外縁部１５が設けられる。
【００２３】
外縁部１５は外周を外側に折り返して縫着することにより形成される。尚、形成方法については、特に限定されず、弾力性を有する樹脂シートを裁断して成る環状シートを第１のネット１１の外周に縫着又は熱溶着して設けても良い。
【００２４】
第２のネット１２も第１のネット１１と同様に対候性に優れた合成樹脂製の糸をネット状に編み込むことにより形成されている。ネットの網目は通気性を考慮した寸法であれば、特に限定されないが、第２のネット１２が第１のネット１１のように外部に露出しないため、第１のネット１１の網目よりも大きくするとよい。
【００２５】
尚、第２のネット１２の網目も第１のネット１１の網目と同様の寸法により形成しても良い。また、第２のネット１２の網目は、被挿入体１３を保持するものであれば、特に限定されず、左右に掛け渡したような形状でも良い。
【００２６】
本実施の形態では、第２のネット１２は第１のネット１１の下面側（装着者の頭部側）に重ね合わせた位置に配置されている。そして、第２のネット１２の縁部外周は、第１のネット１１の外縁部１５に結合させる結合部１６と、この結合部１６を除く外縁部に位置し第１のネット１１に結合させない非結合部１７とを有する。
【００２７】
非結合部１７は、第１のネット１１の外縁部１５と同様に、外周を外側に折り返して縫着することにより形成される。尚、この形成方法についても、特に限定されず、弾力性を有する樹脂シートなどを第２のネット１２に縫着又は熱溶着して設けて形成しても良い。
【００２８】
第１のネット１１と第２のネット１２との間には、被挿入体１３を挿脱自在に収納する収納部１４が位置する。第２のネット１２の非結合１７は第１のネット１１との間に収納部１４の開口部１８を形成する。この開口部１８を介して被挿入体１３を収納部１４に挿脱自在に収納することができる。
【００２９】
被挿入体１３としては、例えば、髪型にボリューム感を出させるために綿などを含有するボリュームアップ用繊維体、頭皮の皮脂や汗の臭いを消臭する消臭用繊維体、汗などを吸収する吸収シートを含有する汗吸収用繊維体などの繊維体や、繊維以外の材料からなるパットなどを用いることができる。
【００３０】
尚、被挿入体１３の形状は、円形、楕円形、多角形などの形に形成することが可能であり、大きさ及び厚みについても、収納部１４の形状に合わせて製造することが可能である。
【００３１】
図３は本実施の形態のかつらベースの裏面を簡略に示した斜視図である。尚、図３では、被挿入体１３を収納部１４から少し引き出した状態を示している。
【００３２】
同図３に示すように、被挿入体１３は、収納部１４に挿脱自在に収納される。これにより、収納部１４には、装着者の要望に応じて、上述した種々の被挿入体１３が交換可能に挿入される。
【００３３】
よって、上述したように、ボリュームアップ用繊維体、消臭用繊維体、汗吸収用繊維体などの繊維体や、繊維以外の材料からなるパットなどの被挿入体１３を、適宜、装着者が必要に応じて容易に交換することができる。
【００３４】
図４は本実施の形態のかつらベースの裏面を簡略に示した斜視図である。また、図５は本実施の形態のかつらベースの表面を簡略に示した斜視図である。尚、同図４及び図５では、被挿入体１３を収納部１４に収納させない状態を示している。かつらベース１０は上述したように、人毛又は人工毛からなる毛髪が植設される第１のネット１１と、第１のネット１１の下面側に位置する第２のネット１２とを備えて構成されている。
【００３５】
図４及び図５に示すように、かつらベース１０は、被挿入体１３を収納部１４に収納させずに、使用することも可能であり、装着者が必要に応じて容易に交換することができる。
【００３６】
図６Ａ及び図６Ｂは本実施の形態のかつらを装着した状態を簡略に示した使用状態側面図である。尚、図６Ａは、収納部に被挿入体を収納させていない使用状態側面図であり、図６Ｂは、収納部に被挿入体を収納させた使用状態側面図である。また、同図６Ａ及び図６Ｂでは、かつらベースの輪郭線を明確に示すために、人毛又は人工毛からなる毛髪を省略して示している。
【００３７】
同図６Ａのかつら６０は、被挿入体１３を備えていないため、このかつら６０の輪郭線は頭部の輪郭線と同様の輪郭線となる。これに対し、図６Ｂに示すかつら６０は、中央部から後部に亘る位置に被挿入体１３を備えることで、装着者のつむじ部から後頭部にかけて頭髪にボリューム感を出させることが可能となる。
【００３８】
（実施形態２）
図７は第２の実施の形態のかつらベースの断面を簡略に示した断面図である。かつらベース７０は、少なくとも二枚のネット部材により構成され、人毛又は人工毛からなる毛髪が植設される第１のネット７１と、第１のネット７１の下面側に位置する第２のネット７２と、これら第１のネット７１と第２のネット７２との間に位置し被挿入体７３を挿脱自在に収納する収納部７４とを備えて構成されている。
【００３９】
本実施の形態において、第１のネット７１は、装着者の前頭部側及び後頭部側に位置する二枚のネット部材を結合させて形成されている。前頭部側のネット７１ａ（以下、前頭部側ネットと示す）は、かつらを装着する際に比較的目立ちやすい部位であるため、網目が密目のネット用いて構成され、後頭部側のネット７１ｂ（以下、後頭部側ネットと示す）は、網目が粗目のネットを用いて構成されている。
【００４０】
第１のネット７１は、対候性に優れた合成樹脂製の糸をネット状に編み込むことにより構成されている。ネットの網目は毛髪を自然な状態で植設でき、且つ、通気性を考慮した寸法により構成されている。
【００４１】
また、第１のネット７１は、自毛、人毛又は人工毛の色と近似した色に成るような黒色、茶色、白色などにより構成されている。尚、図示しないが、髪型の分け目の部分は、地肌の色と近似した色になるような肌色により構成されている。
【００４２】
また、第１のネット７１は、装着者の頭部の形に合わせて椀状に形成されている。この形成方法は、特に限定されないが、平面状のネットを装着者の頭部の形に合わせた木型などに貼り付け、樹脂などによりネットの頭部の形に合わせて固めて形成される。
【００４３】
そして、頭部の形に合わせた第１のネット７１のうちかつらベース７０の縁部外周に位置する部分にほぐれを防止する外縁部７５を設けて形成される。外縁部７５の形成方法は、特に限定されないが、ネットの縁部外周を外側に折り返して縫着する方法、弾力性を有する樹脂シートを裁断してなる環状シートをネットの縁部外周に縫着又は熱溶着して設ける方法などにより形成される。
【００４４】
第２のネット７２、被挿入体７３、収納部７４、外縁部７５、結合部７６、非結合部７７及び開口部７８についは、第１の実施の形態において説明したものと同様であるため、説明を省略するが、第１のネット７１の後頭部側のネット７１ｂと第２のネット７２とは、一枚のネットを折り返して形成しても良い。
【００４５】
以上のように、本実施の形態のかつらベース７０は、二枚のネット部材により第１のネット７１を構成することで、外観をより自然に見せることできる。また、ボリュームアップ用繊維体、消臭用繊維体、汗吸収用繊維体などの繊維体や、繊維以外の材料からなるパットなどを適宜、装着者が必要に応じて容易に交換することができる。
【図面の簡単な説明】
【００４６】
【図１】本発明の実施形態１のかつらベースの裏面を簡略に示した斜視図である。
【図２】図１における線Ａ−Ａ´を示した断面図である。
【図３】本発明の実施形態１のかつらベースの裏面を簡略に示した斜視図である。
【図４】本発明の実施形態１のかつらベースの裏面を簡略に示した斜視図である。
【図５】本発明の実施形態１のかつらベースの表面を簡略に示した斜視図である。
【図６Ａ】本発明の実施形態１のかつらを装着した状態を示した使用状態側面図である。
【図６Ｂ】本発明の実施形態１のかつらを装着した状態を示した使用状態側面図である。
【図７】本発明の実施形態２のかつらベースの断面を示した断面図である。
【符号の説明】
【００４７】
１０      かつらベース
１１      第１のネット
１２      第２のネット
１３      被挿入体
１４      収納部
１５      外縁部
１６      結合部
１７      非結合部
１８      開口部
６０      かつら
７０      かつらベース
７１      第１のネット
７１ａ    密目ネット
７１ｂ    粗目ネット
７２      第２のネット
７３      被挿入体
７４      収納部
７５      外縁部
７６      結合部
７７      外縁端部
７８      開口部
【図１】
2010065335.tif 000003
【図２】
2010065335.tif 000004
【図３】
2010065335.tif 000005
【図４】
2010065335.tif 000006
【図５】
2010065335.tif 000007
【図６Ａ】
2010065335.tif 000008
【図６Ｂ】
2010065335.tif 000009
【図７】
2010065335.tif 000010